(57)【要約】【課題】レンズを遮蔽する遮蔽部材が除去されない状態でも、監視映像を撮像することができる撮像装置を提供する。【解決手段】遮蔽部材１０１はレンズ３０１を覆う遮蔽状態とレンズを露呈させる非遮蔽状態とに切り替え可能に設けられ、この遮蔽板１０１には遮蔽状態におけるレンズの正面に対応する部位に被写体からの光を透過させるための複数の孔が形成されており、駆動手段４０６、４０７は外部からの指示により遮蔽部材を駆動してレンズを遮蔽状態と非遮蔽状態とに切り替え、増感手段４０２、４０７はレンズが遮蔽部材によって遮蔽状態にされたとき、複数の孔を通して撮影した画像データを蓄積して電子増感するように構成されている。【選択図】図１
2008283562.tif 000002
【特許請求の範囲】
【請求項１】
レンズを通して撮像して得られた画像データを出力する撮像装置であって、
前記レンズを外部から認識できないように覆う遮蔽状態と前記レンズを露呈させる非遮蔽状態とに切り替え可能に設けられ、前記遮蔽状態における前記レンズの正面に対応する部位に被写体からの光を透過させるための複数の孔が形成された遮蔽部材と、
外部からの指示により前記遮蔽部材を駆動して、前記レンズを前記遮蔽状態又は前記非遮蔽状態に切り替える駆動手段と、
前記撮像した画像データを蓄積して電子増感する増感手段とを備え、
前記レンズが前記遮蔽状態にされたときは、前記増感手段で電子増感された画像データを出力するように構成した撮像装置。
【発明の詳細な説明】
【技術分野】
【０００１】
本発明は、監視用に設けられる撮像装置に関する。
【背景技術】
【０００２】
撮像装置としての監視カメラは犯罪の記録を残すために、銀行などの金融機関で多く用いられていたが、近年、パチンコ店やスーパーストアなどの商店や、駅などの公共施設にも広く用いられるようになった。これらの監視カメラはわざと目立つように設置し、監視していることを伝えて犯罪を抑止するといった用途にも用いられているが、商店などでは監視カメラが設置されていると一般の人はプライバシーを侵害されているように感じることがあり、嫌われることもある。そのため、通常はカメラが目立たないようにカメラの前面に遮蔽部材をおいてカメラを隠し、監視が必要なときや、センサがなんらかの異常を検出したとき、遮蔽部材を取り除いて撮影を行う監視カメラが提案されている（例えば、下記の特許文献１参照）。
【特許文献１】特開平１０−３５８６号公報（段落０００８、０００９）
【発明の開示】
【発明が解決しようとする課題】
【０００３】
しかしながら、上述した特許文献１に記載の技術では、操作者が遮蔽部材を取り除くことを忘れる恐れがあり、また、なんらかの異常があったときにセンサが働かなかったりした場合の対応が考慮されていない。そのため、このような技術を適用した監視カメラでは、肝心の犯罪の様子を撮像することができない恐れがあった。
【０００４】
本発明は、上記の問題点を解決するためになされたもので、その目的はレンズを遮蔽する遮蔽部材が除去されない状態でも、監視映像を撮像することができる撮像装置を提供することにある。
【課題を解決するための手段】
【０００５】
上記の目的を達成するために、本発明は、レンズを通して撮像して得られた画像データを出力する撮像装置であって、
前記レンズを外部から認識できないように覆う遮蔽状態と前記レンズを露呈させる非遮蔽状態とに切り替え可能に設けられ、前記遮蔽状態における前記レンズの正面に対応する部位に被写体からの光を透過させるための複数の孔が形成された遮蔽部材と、
外部からの指示により前記遮蔽部材を駆動して、前記レンズを前記遮蔽状態又は前記非遮蔽状態に切り替える駆動手段と、
前記撮像した画像データを蓄積して電子増感する増感手段とを備え、
前記レンズが前記遮蔽状態にされたときは、前記増感手段で電子増感された画像データを出力するように構成される。
【発明の効果】
【０００６】
本発明においては、レンズの被写体側を外部から認識できないように遮蔽部材で覆う遮蔽状態にあるとき、遮蔽部材におけるレンズの視野に対応する部位に被写体からの光を透過させるための複数の孔が形成されており、これらの孔を通して撮影した画像データを蓄積して電子増感するので、遮蔽部材が除去されない状態でも、監視映像を撮像することができる撮像装置が提供される。
【発明を実施するための最良の形態】
【０００７】
以下、本発明を図面に示す好適な実施の形態に基づいて詳細に説明する。図１は本発明に係る撮像装置の一実施の形態の概略構成を、その関連要素と併せて示した遮蔽モードでの斜視図であり、図２は一実施の形態を構成する遮蔽板の一部を拡大して示した正面図、図３は一実施の形態を、その関連要素と併せて示した監視モードでの斜視図であり、図４は一実施の形態の内部の構成を示すブロック図である。
【０００８】
図１及び図３において、撮像装置としての監視カメラ１はレンズ３０１を覆う遮蔽部材としての遮蔽板１０１を備え、カメラ固定金具１０２によって図示省略の天井などに取り付けられている。遮蔽板１０１は、図１に示したように、レンズ３０１を外部から認識でないように覆う遮蔽状態（以下、遮蔽モードともいう）と、図３に示したように、レンズ３０１を外部から認識できるように露呈させる非遮蔽状態（以下、監視モードともいう）とに切り替え可能に取り付けられている。この遮蔽板１０１には、図２に示したように、レンズ３０１を遮蔽状態にしたとき、レンズ３０１の正面に対応する部位に被写体からの光を透過させるための複数の孔２０１が適宜の間隔にて形成されている。また、監視カメラ１には、その監視領域に出入りするドア１０３の開閉を検出するセンサ１０４がケーブル１０６によって接続され、さらに画像データを記録するビデオディスクレコーダ１０５がケーブル１０７によって接続されている。
【０００９】
監視カメラ１の内部は、図４に示したように、レンズ３０１から光が入射する経路に、絞り（ＩＲＩＳ）４０３と撮像素子（ＣＣＤ）４０１とが設けられ、撮像素子４０１には映像信号を蓄積するメモリ（ＭＥＭＯＲＹ）４０２と、映像信号に対して電子増感などの処理を行って画像データ出力端子４０５から出力する映像処理部（ＤＳＰ）４０４とが接続されている。また、遮蔽板１０１を駆動する駆動部（Ｍ）４０６を有し、センサ信号入力端子４０８から入力されるセンサ１０４の信号に基づいて、制御部（ＣＰＵ）４０７が駆動部４０６を駆動制御するとともに、撮像素子４０１、メモリ４０２、絞り４０３及び映像処理部４０４を制御するように構成されている。
【００１０】
上記のように構成された一実施の形態の動作について以下に説明する。監視カメラ１は通常の状態ではその外部、特に被監視領域からカメラで撮られていることが分からないように、レンズ３０１の前面を覆うように遮蔽板１０１が保持され、遮蔽モードにおかれている。遮蔽板１０１には、図２に示すように、レンズ３０１の正面に対応する部位に複数の孔２０１が形成されている。遮蔽モードでは被写体から到来する光は遮蔽板１０１で大部分は遮られるけれども、一部は孔２０１を通してレンズ３０１に取り込まれるので、絞り４０３を大きく絞ったと同じ状態で撮像が行われる。このとき、孔２０１の配列は、デザイン的に並べたり、模様を施したりして監視していることを意識させないようにすることが肝要である。
【００１１】
また、遮蔽モードでは電子増感を行う。すなわち、遮蔽板１０１がレンズ３０１を覆う遮蔽状態で制御部４０７は、まず、内蔵している絞り４０３を全開状態にし、次に、撮像素子４０１で光電変換された電気信号をメモリ４０２に記憶させ、数フレーム分（５〜１５フレーム程度）蓄積してからこれを映像処理部４０４に送り、画像データ出力端子４０５から映像信号として出力させる。これによって、レンズ３０１に入射する光量が少なくても監視映像を撮像することができる。画像データ出力端子４０５から出力された映像信号をビデオディスクレコーダ１０５でフレーム数を間引いて長時間記録したり、ループ記録をしたりして、監視映像を撮像した記録を残すことができる。
【００１２】
一方、なんらかの異常をセンサ１０４が検出すると、監視カメラ１は監視モードに移行する。例えば、ドア１０３に設けられたセンサ１０４がそのドア１０３が開いたことを検知すると、その信号がセンサ信号入力端子４０８から制御部４０７に加えられる。そこで、制御部４０７は監視カメラ１を監視モードに移行させる。
【００１３】
監視カメラ１が監視モードに移行すると、制御部４０７は駆動部４０６を動作させてレンズ３０１の前面にある遮蔽板１０１を動かして、遮蔽板１０１の視野から離脱させる。そして、制御部４０７は絞り４０３をオートアイリスに設定する。オートアイリスとは撮像した映像信号の輝度成分の平均値に基づいて絞り４０３を調整するものである。また、制御部４０７は電子増感を止め、メモリ４０２に蓄積せずに撮像した映像信号をそのまま映像処理部４０４に送り、画像データ出力端子４０５から出力させる。
【００１４】
このように、レンズ３０１を遮蔽板１０１で覆った遮蔽状態においても、通常の監視カメラと同様に、動きのある被写体も十分に撮像することができるので、これをビデオディスクレコーダ１０５で記録すれば異常があったときの記録を残すことができる。なお、監視モードは、センサ１０４が異常を検出したときだけに設定してもよいし、センサが異常を検出してから所定時間、例えば３０秒間だけ監視モードとし、その後遮蔽モードに移行するように設定してもよい。
【００１５】
以上の説明から明らかなように、本発明に係る撮像装置は、通常時にレンズを覆い、異常時に離脱させる遮光部材を設け、通常時にはカメラが目立たないようにするとともに、レンズの正面に当たる部位に複数の孔を形成し、この遮光部材が離脱されない状態においても複数の孔を通して監視領域を撮像することを可能にとしたので、一般の人に嫌われることなく、十分な監視を行うことができる。
【図面の簡単な説明】
【００１６】
【図１】本発明に係る撮像装置の一実施の形態の概略構成を、その関連要素と併せて示した遮蔽モードでの斜視図である。
【図２】本発明の一実施の形態を構成する遮蔽板の一部を拡大して示した正面図である。
【図３】本発明の一実施の形態を、その関連要素と併せて示した監視モードでの斜視図である。
【図４】本発明の一実施の形態の内部の構成を示すブロック図である。
【符号の説明】
【００１７】
１  監視カメラ
１０１  遮蔽板
１０２  カメラ固定金具
１０３  ドア
１０４  センサ
１０５  ビデオディスクレコーダ
２０１  孔
３０１  レンズ
４０１  撮像素子（ＣＣＤ）
４０２  メモリ（ＭＥＭＯＲＹ）
４０３  絞り（ＩＲＩＳ）
４０４  映像処理部（ＤＳＰ）
４０６  駆動部（Ｍ）
４０７  制御部（ＣＰＵ）
【図１】
2008283562.tif 000003
【図２】
2008283562.tif 000004
【図３】
2008283562.tif 000005
【図４】
2008283562.tif 000006